(57)【要約】【課題】コンロ装置を用いた調理中に、台所に設置された従来のテレビ装置やゲーム機に表示された画像を見る場合、テレビ装置やゲーム機はコンロ装置の側方、もしくは離れた位置に置く場合があり、いずれにせよ、画像を見る場合には調理中の鍋などから大きく視線を左右に外す必要が生じる。【解決手段】天板の下部に映像を投光する映写部を設け、この映写部から投光される映像を天板を透過させて、天板の後方に設けたスクリーン部に映写させるようにした。【選択図】  図２
2008304132.tif 000002
【特許請求の範囲】
【請求項１】
透光性を備えた天板を有するコンロ装置において、天板の下部に映像を投光する映写部を設け、この映写部から投光される映像を天板を透過させて、天板の後方に設けたスクリーン部に映写させることを特徴とするコンロ装置。
【請求項２】
天板の下方にグリル庫を有しており、このグリル庫内を撮像するカメラ部を設け、カメラ部で撮像したグリル庫内の映像を上記映写部によってスクリーン部に映写することを特徴とする請求項１に記載のコンロ装置。
【発明の詳細な説明】
【技術分野】
【０００１】
本発明は、天板にガラスなどの透光性を備えたものを有するコンロ装置に関する。
【背景技術】
【０００２】
台所にテレビ画像を表示することのできる画像表示部を設け、コンロ装置を用いて調理する場合、調理中にレシピやテレビ映像を画像表示部に表示されるものが知られている（例えば、特許文献１参照）。
【０００３】
また、この特許文献１に記載されたものの他にも小型のテレビを台所においてテレビ画像を見ながら調理することや、ポータブルのゲーム機に調理レシピを表示すると共に解説をそのゲーム機から発音させ、表示されたレシピを見ながら、かつ解説を聞きながら調理するようにしたものも知られている。
【特許文献１】特開２００１−２５２１４０号公報（図１）
【発明の開示】
【発明が解決しようとする課題】
【０００４】
コンロ装置を用いた調理中に、上記従来のテレビ装置やゲーム機に表示された画像を見る場合、テレビ装置やゲーム機はコンロ装置の側方、もしくは離れた位置に置く場合があり、いずれにせよ、画像を見る場合には調理中の鍋などから大きく視線を左右に外す必要が生じる。
【０００５】
また、コンロ装置の周辺に他の調理器具などが置かれている場合には、ゲーム機をセットすることができず、仮にセットできたとしても、調理中の油跳ね等でゲーム機が汚れるという不具合が生じる。さらには上記特許文献１に記載されたものでは、テレビ装置を台所の壁に収納させるため、大幅な工事を行う必要が生じる。
【０００６】
そこで本発明は、上記の問題点に鑑み、上記の種々の不具合が生じないコンロ装置を提供することを課題とする。
【課題を解決するための手段】
【０００７】
上記課題を解決するために本発明によるコンロ装置は、透光性を備えた天板を有するコンロ装置において、天板の下部に映像を投光する映写部を設け、この映写部から投光される映像を天板を透過させて、天板の後方に設けたスクリーン部に映写させることを特徴とする。
【０００８】
なお、グリル庫を有している場合に、グリル調理中にグリル庫内の調理物を観察するために腰をかがめなければならない。
【０００９】
そこで、天板の下方にグリル庫を有しており、このグリル庫内を撮像するカメラ部を設け、カメラ部で撮像したグリル庫内の映像を上記映写部によってスクリーン部に映写することにより、腰をかがめる必要をなくすことが望ましい。
【発明の効果】
【００１０】
以上の説明から明らかなように、本発明は、映写部によって画像をスクリーン部に映写するので、別途テレビやゲーム機を台所に設置する必要が無く、待たすクリーン部を天板の後方に配置することにより、スクリーン部上の画像を見る際に視線を左右に動かす必要がない。
【発明を実施するための最良の形態】
【００１１】
図１を参照して、１はいわゆるＩＨコンロと呼ばれているコンロ装置であって、カウンタトップＣＴに取り付けられたビルトイン式のものである。このコンロ装置１の天板１１は耐熱性のガラス板で形成されており、内部の構造が見えないように着色はされているが、透光性を備えている。
【００１２】
この天板１１の後方にスクリーン１２を取り付けた。そして、後述する映写ユニットから照射される光を天板１１の透光部１１ａを通してスクリーン１２を照らすことができるようにした。
【００１３】
このコンロ装置１はグリル扉２１を備えたグリル庫２を有しており、そのグリル扉２１の右側にはコントロール部１３が収納自在に設けられている。
【００１４】
図２を参照して、天板１１の下方には上述の映写ユニット３が配設されている。この映写ユニット３は内部に光源と、その光源の前に液晶式の画像表示部とが設けられており、光源からの光が画像表示部を透過し、さらに先端の設けたレンズを介して外部に光が照射されるものである。図示のように、映写ユニット３の光軸に対してスクリーン１２が傾いているので、映写ユニット３内の画像表示部に、予め上部が縮小された、歪ませた画像を表示させ、スクリーン１２に映写された状態で正常に表示されるようにした。
【００１５】
映写ユニット３により映写する画像は複数種類の中から自在に切り替えられるように構成し、その切り替えはコントロール部１３のスイッチで行うようにした。これら切り替えられる画像としては、例えばコンロ装置が消費する電力量やテレビ画像、あるいは調理レシピである。なお、コンロ装置の適所、例えば前板部分にスピーカを取り付けて、画像に合わせて音声を発音できるようにしてもよい。
【００１６】
ところで、グリル庫２内に調理物を入れてグリル調理を行う場合、グリル扉２１に設けたのぞき窓からグリル庫２の内部の調理物を観察し、焼け具合などをチェックする必要がある。ところが、グリル扉２１ののぞき窓を覗くためには、腰をかがめなければならない。
【００１７】
そこで、図３に示すように、カメラ２７を設け、グリル庫２内をこのカメラ２７で撮像して上記映写ユニット３を介してスクリーン１２に映写するようにした。図３において、２２はグリル扉２１に連結された焼き網であり、調理物はこの焼き網２２の上に載置される。そして、焼き網２２の上方に位置してヒータ２３を設けた。このヒータ２３から照射される赤外線により調理物を加熱してグリル調理を行うようにした。
【００１８】
ヒータ２３からの輻射熱がグリル庫２の天井板２５を加熱しないようにすると共に、上方に放射された赤外線を反射させて調理物を効率よく加熱できるように、反射板２４を設けた。そして、この反射板２４に筒状の遮熱ガード２４ａを設け、その遮熱ガード２４ａ内に位置するように、天井板２５から保護筒部２５ａを延設させた。そして、その保護筒部２５ａの下端を耐熱性のガラス板２６で封鎖し、保護筒部２５ａ内にカメラ２７をセットした。
【００１９】
なお、本発明は上記した形態に限定されるものではなく、本発明の要旨を逸脱しない範囲内において種々の変更を加えてもかまわない。
【図面の簡単な説明】
【００２０】
【図１】本発明の一実施の形態の構成を示す図
【図２】映写ユニットの取り付け状態を示す図
【図３】グリル庫内の撮像構造を示す図
【符号の説明】
【００２１】
１  コンロ装置
２  グリル庫
３  映写ユニット
１１  天板
１１ａ  透光部
１２  スクリーン
１３  コントロール部
２１  グリル扉
２３  ヒータ
２４  反射板
２４ａ  遮熱ガード
２５  天井板
２５ａ  保護筒部
２６  ガラス板
２７  カメラ
ＣＴ  カウンタトップ
【図１】
2008304132.tif 000003
【図２】
2008304132.tif 000004
【図３】
2008304132.tif 000005